(57)【特許請求の範囲】
【請求項１】
ホルダ（１）、装身エレメント（２）および支持装置（７）を有し、装身エレメントを展示する装置であって、
該支持装置（７）が、組立状態において、ホルダ（１）および装身エレメント（２）に結合されており、
該支持装置（７）および装身エレメント（２）が、装身エレメント（２）を支持するための支持部材（３，４，５，６）を有する形式のものにおいて、
該支持装置（７）および装身エレメント（２）が、それぞれ、装身エレメント（２）を支持するための１対の支持部材（３，４，５，６）を有し、
該支持装置（７）が、２つの自由端を有する湾曲した形状を有し、該自由端には、支持部材（３，６）が、離隔して且つ相互に向き合うよう配設されており、
前記ホルダ（１）が、該支持装置（７）のための湾曲したミゾの形の受け（１５）を有する、  ことを特徴とする装置。
【請求項２】
前記ホルダ（１）、該支持装置（７）および装身エレメント（２）が、相互に適合された寸法で存在することを特徴とする請求項１または２の装置。
【請求項３】
該支持装置（７）および装身エレメント（２）が、前組立されており、この場合、前組立状態において、支持部材（３，４，５，６）が、緩く且つ喪失されないよう結合されており、実際の結合が、前記ホルダ（１）への取付時に始めて、構成されることを特徴とする請求項１または２の装置。
【請求項４】
前記ホルダ（１）自体が、装身対象物品であることを特徴とする請求項１−３の１つに記載の装置。
【請求項５】
前記ホルダが、対象（物体）に配設されていることを特徴とする請求項１−４の１つに記載の装置。
【請求項６】
該支持装置および装身エレメントおよび前記ホルダが、前組立されており、対象（物体）に前記ホルダが結合されていることを特徴とする請求項１−５の１つに記載の装置。
【請求項７】
装身エレメント（２）が、前記ホルダ（１）または該支持装置（７）に可動に支持されていることを特徴とする請求項１−６の１つに記載の装置。
【請求項８】
該支持装置（７）が、前記ホルダ（１）に可動に支持されていることを特徴とする請求項１−７の１つに記載の装置。
【請求項９】
装身エレメント（２）および／または該支持装置（７）が、装身エレメント（２）の支持部材（４，５）と、支持装置（７）の支持部材（３，６）との間で、若しくは、該支持装置（７）の支持部材（１０，１１）と、前記ホルダ（１）の支持部材（１２，１３）との間で、仮想軸線（Ａ）のまわりに少なくとも１回の３６０゜の完全な回転を実施できることを特徴とする請求項１−８の１つに記載の装置。
【請求項１０】
装身エレメント（２）の移動および停止が、永久磁石（１４）によって行われることを特徴とする請求項１−９の１つに記載の装置。
【請求項１１】
ホルダ（１）、装身エレメント（２）および支持装置（７）を有し、装身エレメントを展示する装置であって、
該支持装置（７）が、組立状態において、ホルダ（１）および装身エレメント（２）に結合されており、
該支持装置（７）および装身エレメント（２）が、装身エレメント（２）を支持するための支持部材（３，４，５，６）を有する形式のものにおいて、
前記支持部材（３，４，５，６）が、装身エレメント（２）を可動に支持するため、短軸（３，６）および切欠き（４，５）を含み、
短軸が、所定の収束角（Ｋ）にもとづき、該切欠きの方向へ収束し、
該切欠きが、発散角（Ｄ）にもとづき、短軸の方向へ発散し、
該発散角（Ｄ）が、収束角（Ｋ）よりも大きく、短軸および切欠きが、点支持の構成のため、発散角および収束角（Ｄ，Ｋ）の頂点において互いに当接し、
前記短軸として存在する支持部材（３，６）が、前記切欠きとして存在する支持部材（４，５）よりも硬い材料から作製されている
ことを特徴とする装置。
【請求項１２】
該発散角（Ｄ）が、約９０゜であり、収束角（Ｋ）が、約６０゜であることを特徴とする請求項１１の装置。
【請求項１３】
１対の支持部材（３，６）が、該支持装置（７）の構成部材であることを特徴とする請求項１１または１２の装置。
【請求項１４】
該支持装置（７）と前記ホルダ（１）との間に、形状結合および／または力結合および／または物質結合を構成可能であることを特徴とする請求項１３の装置。
【請求項１５】
前記ホルダ（１）が、該支持装置（７）のための受け（１５）を有することを特徴とする請求項１１−１４の１つに記載の装置。
【請求項１６】
該受け（１５）が、湾曲したミゾの形に存在することを特徴とする請求項１５の装置。
【請求項１７】
該支持装置（７）が、２つの自由端を有する湾曲した形状を有し、上記各自由端には、前記支持部材（３，６）が離隔して且つ相互に向き合うよう配設されていることを特徴とする請求項１１−１６の１つに記載の装置。
【請求項１８】
該支持装置（７）が、湾曲部を構成し、この湾曲部の半径（ＲＬ）が、非組立状態において、同じく湾曲部を構成する前記ホルダ（１）の前記ミゾの半径（ＲＮ）よりも大きいことを特徴とする請求項１６の装置。
【請求項１９】
該支持装置（７）の支持部材（３，６）が、装身エレメント（２）の支持部材（４，５）に対して規定の初期間隔（ＡＡ）を有することを特徴とする請求項１１−１８の１つに記載の装置。
【請求項２０】
前記ミゾおよび該支持装置（７）の両半径が、組立状態において、ほぼ同一であり、該支持装置（７）の支持部材（３，６）と装身エレメント（２）の支持部材（４，５）との間の初期間隔（ＡＡ）が、該支持装置（７）の変形によって、ゼロに減少されることを特徴とする請求項１８の装置。
【請求項２１】
装身エレメントが、約６ｍｍの径を有し、支持部材の間の初期間隔または変形を考慮してホルダのミゾにはめ込み可能である支持装置と共働し、ミゾが、約７．５ｍｍの径を有する工具によって作製されていることを特徴とする請求項１１−２０の１つに記載の装置。
【請求項２２】
前記ホルダ（１）の支持部材（３，６）および装身エレメント（２）の支持部材（４，５）が、組立状態において、仮想軸線（Ａ）上に配設されており、該仮想軸線のまわりに装身エレメント（２）を回転できることを特徴とする請求項１１−２１の１つに記載の装置。
【請求項２３】
装身エレメントを展示するための支持装置であって、支持装置（７）および装身エレメント（２）が、装身エレメント（２）を支持するための支持部材（３，４，５，６）を有し、支持装置（７）の支持部材（３，６）が、装身エレメント（２）の支持部材（４，５）の方向へ変形できる形式のものにおいて、
該支持装置（７）および装身エレメント（２）が、それぞれ、装身エレメント（２）を支持するための１対の支持部材（３，４，５，６）を有し、
該支持装置（７）が、２つの自由端を有する湾曲した形状を有し、該自由端には、支持部材（３，６）が、離隔して且つ相互に向き合うよう配設される、
ことを特徴とする支持装置。
【請求項２４】
装身エレメントを展示する装置を組立てる方法において、
対向する支持部材（３，４，５，６）を介して、先ず、喪失しないよう且つ緩く支持装置（７）を装身エレメント（２）と結合し、
ホルダ（１）の受け（１５）に該支持装置（７）を導入し、
前記受け（１５）に該支持装置（７）を導入する間に、該支持装置（７）の支持部材（３，６）が、支持完成まで、装身エレメント（２）の支持部材（４，５）の方向へ相互に移動されよう、支持装置（７）の変形が起き、
装身エレメント（２）が、支持部材（３，４，５，６）のそれぞれの構成に応じて、不動にまたは可動に支持されること、
を特徴とする方法。
【発明の詳細な説明】
【技術分野】
【０００１】
本発明は、ホルダを有し、ホルダおよび装身エレメントが、それぞれ、装身エレメントを支持するための１対の支持部材（Lagerteile）を有する形式の、装身エレメントを展示する装置に関する。更に、本発明は、支持装置および装身エレメントが、それぞれ、装身エレメントを支持するための１対の支持部材を有する形式の、装身エレメントを展示する装置を構成するための支持装置および特に支持装置を使用して装置を組立てる方法に関する。
【背景技術】
【０００２】
装身エレメントの支持は、常に、宝石業者の考慮対象である。高価な宝石は、できる限り有効に展示すべきであり、同じく、品質的に低価値の宝石も良好に展示することが問題である。
【０００３】
ＵＳ２００３／０１７２６７３Ａ１は、装身エレメントの可動の支持のための支持構造を含む装身エレメントに関する。支持構造は、離隔された２つの別個の支持部材を有する。各支持部材は、ホルダの構成部材であり、例えば、上記ホルダに螺着されるか、他の方法で接合される。双方の各支持部材の配列およびホルダとの結合は、別個の作業工程によるので、複雑ないし経費がかかると云える。装身エレメントの支持部材は、装身エレメントのフレームに関連されている。
【０００４】
上記公報から、ホゾまたは凹みの形の保持部材を設けることは公知である。装身エレメントは、可動に支持されているが、双方のホゾ軸線のまわりの揺動、震動または振動が現れる。ホゾが、凹み内で遊びを有するので、双方のホゾ軸線のまわりの揺動、震動または振動が生ずる。ホルダおよび／または重力による装身エレメントの移動にもとづき、可動に支持された装身エレメントの位置変化が起きた場合、ホゾは、凹み内でランダムな方向に横揺れ状態で往復運動する。
【０００５】
宝石と、ホゾ（突起）の形の支持部材を含むフレームとを有する装身エレメントは、ＪＰ２００２−１４２８１７Ａからも知られている。さらに、下記の特許文献３，４も公知である。
【特許文献１】ＵＳ２００３／０１７２６７３Ａ１
【特許文献２】ＪＰ２００２−１４２８１７Ａ
【特許文献３】ＵＳ−Ａ−１９７１２６５
【特許文献４】ＦＲ−Ａ−２４２０３１４
【発明の開示】
【発明が解決しようとする課題】
【０００６】
特許文献２において、ホゾは、支持部材の孔に螺着されるネジの湾曲した凹部に係合する。ホルダに結合された双方の支持部材は、２部分から構成され、従って、製造および組立の手間（ないし費用）が大きくなる。支持部材の調整のみが、既に、精度に大きい要求を課す。凹の湾曲にもとづき、不正確な支持および摩擦の増大が生ずる。更に、このような装置の実現性は与えられない。なぜならば、フレームは、宝石の性質にもとづき、軟質材料から構成しなければならず、ホゾは、より大きい硬さを有していなければならないが、双方の部材は、１つの材料からなるからである。
【０００７】
本発明の課題は、公知の先行技術から出発して、安価であり、装身エレメントの摩擦の少ない最適な支持を実現する、ここで述べた種類の装置を提示することにある。更に、製造費を減少する支持装置および方法を提示することを意図する。
【課題を解決するための手段】
【０００８】
上記の課題は、第１バリエーションにもとづき、請求項１の特徴によって解決される。即ち、本発明の第１バリエーションにより、ホルダ、装身エレメントおよび支持装置を有し、装身エレメントを展示する装置が提供される。この展示装置は、
該支持装置が、組立状態において、ホルダおよび装身エレメントに結合されており、
該支持装置および装身エレメントが、装身エレメントを支持するための支持部材を有する形式のものであって、
該支持装置および装身エレメントが、それぞれ、装身エレメントを支持するための１対の支持部材を有し、
該支持装置が、２つの自由端を有する湾曲した形状を有し、該自由端には、支持部材が、離隔して且つ相互に向き合うよう配設されており、
前記ホルダが、該支持装置のための湾曲したミゾの形の受けを有する。
上述の種類の装置は、かくして、ホルダに配された該支持部材が、別個の支持装置の構成部材であり、ホルダ、装身エレメントおよび支持装置が、モジュール構造部材であり、支持装置が、ホルダおよび装身エレメントに結合可能であるよう、構成されている。
【０００９】
先行技術から出発して、第１バリエーションにもとづき、装身エレメントのための記載の支持部材は、ホルダに配設され（zuordnen）またはホルダと一体に構成され且つ精密に配列（配向）させなければならない２つの別個の支持部材を含むと云うことが確認される。この作業（上の必要性）は、本発明にもとづき、支持装置が、双方の支持部材をほぼ一体になるよう統合し、ホルダ、装身エレメントおよび支持装置が、相互に結合可能なモジュール構造部材であることによって、軽減される。かくして、装身エレメント工業のユーザのために、個々に配向ないし配列、調整を行う必要なく完成品に統合（組立て）される中間製品が存在する。モジュール構造原理の利点は、手工業的作業（工数）が減少されることによって、標準化モジュールが、経費を減少し、製造時間を短縮することから生ずる。
【００１０】
上記の課題は、第２バリエーションにもとづき、請求項１１の特徴によって解決される。即ち、本発明の第２バリエーションにより、ホルダ、装身エレメントおよび支持装置を有し、装身エレメントを展示する装置が提供される。この展示装置は、
該支持装置が、組立状態において、ホルダおよび装身エレメントに結合されており、
該支持装置および装身エレメントが、装身エレメントを支持するための支持部材を有する形式のものであって、
前記支持部材が、装身エレメントを可動に支持するため、短軸および切欠きを含み，
短軸が、所定の収束角にもとづき、該切欠きの方向へ収束し、
該切欠きが、発散角にもとづき、短軸の方向へ発散し、
該発散角が、収束角よりも大きく、短軸および切欠きが、点支持の構成のため、発散角および収束角の頂点において互いに当接し、
前記短軸として存在する支持部材が、前記切欠きとして存在する支持部材よりも硬い材料から作製されている。
上述の種類の装置は、かくして、支持部材が、装身エレメントを可動に支持するため、短軸および切欠きを含み、この場合、短軸が、所定の収束角にもとづき、切欠きの方向へ収斂し、この場合、切欠きが、発散角にもとづき、短軸の方向へ発散（拡開）し、この発散角が、収束角よりも大きく、短軸および切欠きが、点支持の構成のため、該発散角および収束角の頂点において当接するよう、構成されている。
【００１１】
先行技術から出発して、第２バリエーションにもとづき、点支持を実現すれば、摩擦に関して支持を最適化できると云うことが確認される。この場合、短軸および切欠きは、その発散角および収束角の頂点において相互に当接する。大きい発散角および小さい収束角は、接触面がないので摩擦損失のない支持に貢献する。装置は、潤滑剤を必要とせず、通常のクリーニング作業は、時々必要であるに過ぎない。この点支持によって、更に、装身エレメントの所定の回転が可能である。装身エレメントの３６０゜の完全な回転によって、拡大された像として装身エレメントの知覚が最適化される。眼の慣性にもとづき、装身エレメントを回転体の意味において知覚できる。研磨した宝石は、回転および光の屈折によって、完全に新しい光学的に視認可能な空間構造体となる。
【００１２】
上記課題の解決には、更に、第３バリエーションとして請求項２３の特徴が寄与する。即ち、第３バリエーションによれば、装身エレメントを展示するための支持装置が提供される。この支持装置は、支持装置および装身エレメントが、装身エレメントを支持するための支持部材を有し、支持装置の支持部材が、装身エレメントの支持部材の方向へ変形できる形式のものにおいて、
該支持装置および装身エレメントが、それぞれ、装身エレメントを支持するための１対の支持部材を有し、
該支持装置が、２つの自由端を有する湾曲した形状を有し、該自由端には、支持部材が、離隔して且つ相互に向き合うよう配設される。
支持装置および装身エレメントが、それぞれ、装身エレメントを支持するための１対の支持部材を有する形式の、装身エレメントを展示する装置を構成するための支持装置は、かくして、支持装置が、離隔され相互に向き合う２つの自由端を有し、各自由端には、支持部材が設けてあり、支持装置が、好ましくは、一体形成され、支持装置の各支持部材が、組立状態において支持装置の自由端の間に延びる装身エレメントの支持部材と結合可能に構成され、支持装置が、ホルダと結合可能に構成されている。
【００１３】
先行技術から出発して、構造的観点において支持の簡単化が望ましい。この簡単化は、本発明にもとづき、装身エレメント支持のため双方の支持部材と既に一体をなし、その形状にもとづき、相互に向き合う２つの支持部材（要素）とともに所定の軸線を定める一体構造の支持装置を提供することによって、行われ、これは、まさに、装身エレメントの可動の回転自在な支持に関して有利である。即ち、装身エレメントは、ホルダ自体にろう付けする必要はなくおよび／または別個に加工する必要はなく、対向する支持部材（要素）の煩瑣な軸線の正確な配列（アラインメント）は不要である。支持装置は、有利な態様で、装身エレメントの支持部材と配列（配向）され且つ共働し、装身エレメントに適合された所定の間隔を有する支持部材を使用する。従って、補足の工具および補足の時間の必要性はない。本発明に係る支持装置は、例えば、後から装備できるユニットであるという意味において、任意のホルダに配することができる。湾曲部分および自由端の相互に向き合う２つの支持部材を有する好ましい支持装置の場合、同一の安定性の条件において、必要な材料が少ない。これは、特に貴金属の使用に関して、プラスのコスト因子をなす。支持装置の支持部材を短軸として構成した場合、単一体としての支持装置（機構）は、唯一つの材料から構成でき、宝石との接触にもとづき短軸よりも軟質の材料から構成する必要のあるフレームの場合とは異なり、短軸および結合部分に関して材料の差異は不要である。従って、支持装置の支持部材を短軸として構成するのが好ましい。
【００１４】
支持装置（機構）の使用によって、ホルダ内の設置か簡単化され、ホルダおよび装身エレメントと適合して、モジュール組立キットの規格化された量産（ないし流れ作業）および構成が可能となる。更に、装身エレメントを可動に支持した場合、（２つの）点支持（点）の間に生ずる回転軸（線）は、ホルダの外面に直接当接して配接でき、しかも、安定性が損なわれることはない。支持装置は、ホルダに任意に配設でき、回転軸（線）は、水平なベースに関して、平行に、垂直にまたは傾斜して配設できる。支持装置の更なる利点は、補修が必要な場合に、迅速で安価な交換可能性である。
【００１５】
支持装置にもとづき、相互に向き合う支持部材または短軸が、常に、短軸先端に関して、遊びまたは仮想の回転軸線を形成するが、短軸先端が、支持装置の中心線外に位置することによって、装身エレメントユニットの多様な美的効果を達成できる。（２つの）点支持の間の仮想の回転軸線は、支持装置の中心線と一致してよいが、一致する必要はない。
【００１６】
上記の課題は、更に第４バリエーションとして、請求項２４の特徴によって解決される。即ち、第４バリエーションによれば、装身エレメントを展示する装置を組立てる方法が提供される。この組立方法は、対向する支持部材を介して、先ず、喪失しないよう且つ緩く支持装置を装身エレメントと結合し、
ホルダの受けに該支持装置を導入し、
前記受けに該支持装置を導入する間に、該支持装置の支持部材が、支持完成まで、装身エレメントの支持部材の方向へ相互に移動されよう、支持装置の変形が起き、
装身エレメントが、支持部材のそれぞれの構成に応じて、不動にまたは可動に支持されること、
を特徴とする。
ここで述べた種類の方法は、かくして、ホルダの受けに支持装置を導入し、対向する支持部材を介して、先ず喪失しないよう且つ緩く支持装置を装身エレメントと結合し、受けに支持装置を導入する間に、支持装置の支持部材および装身エレメントの支持部材が、相互に移動され、装身エレメントが、支持部材の構成に応じて、不動にまたは可動に支持されるよう、支持装置の変形が起きるよう構成されている。
【００１７】
本発明に係る組立法によって、製造費を減少できる。なぜならば、一方では、既に、事前に配向整列して組立てされた支持部材を有し、他方では、組立中に支持装置の変形によって装身エレメントの支持部材と係合される支持装置を使用するからである。即ち、１つの操作で、２つの工程、即ち、一方では、ホルダにおける支持装置の固定が実施され、他方では、組立中に相互に移動される支持装置の支持部材の間における装身エレメントの最終的固定が実施される。
【００１８】
モジュール構造部材（ないし部品、複数）−ホルダ、支持装置および装身エレメントは、有利な態様で量産（ないし規格化生産、Serienfertigung）できる。かくして、製造費が、更に、最少化される。この場合、ホルダ、支持装置および装身エレメントは、相互に適合した特定の段階付き寸法（複数の寸法グレード）で存在する。系は、機能的に相互に関連するモジュール構造部材（複数）から形成でき、宝石業者、デザイナー、マーケッティング担当者の作業を容易化できる。ここで言及するが、装身エレメントは、フレーム（Fassung）を備えた宝石であるのみならず、値頃な材料からなるデコレーション用エレメントでもあり得、従って、本発明に係る装置は、装身エレメント分野で使用できるのみならず、宣伝分野でも使用でき、あるいは、光学分野においてメガネの装飾としても使用できる。
【００１９】
支持装置および装身エレメントを前（予）組立し、かくして、更に処理（加工）すれば、組立の更なる簡単化を達成できる。この場合、支持部材は、前組立状態において、緩く（着脱自在に）、しかしながら、喪失されないよう結合でき、他方、実際の結合は、ホルダへの取付時に始めて達成される。
［発明を実施するための形態］
本発明において、以下の形態が可能である。
（形態１）ホルダ、装身エレメントおよび支持装置を有し、装身エレメントを展示する装置であって、該支持装置が、組立状態において、ホルダおよび装身エレメントに結合されており、該支持装置および装身エレメントが、装身エレメントを支持するための支持部材を有する形式のものにおいて、該支持装置および装身エレメントが、それぞれ、装身エレメントを支持するための１対の支持部材を有し、該支持装置が、２つの自由端を有する湾曲した形状を有し、該自由端には、支持部材が、離隔して且つ相互に向き合うよう配設されており、前記ホルダが、該支持装置のための湾曲したミゾの形の受けを有すること。（形態２）
前記ホルダ、該支持装置および装身エレメントが、相互に適合された寸法で存在することが好ましい。
（形態３）
該支持装置および装身エレメントが、前組立されており、この場合、前組立状態において、支持部材が、緩く且つ喪失されないよう結合されており、実際の結合が、前記ホルダへの取付時に始めて、構成されることが好ましい。
（形態４）
前記ホルダ自体が、装身対象物品、例えば、リング、ペンダント、時計本体、メガネ、装飾品等であることが好ましい。
（形態５）
前記ホルダが、対象（物体）に配設されているが好ましい。
（形態６）
該支持装置および装身エレメントおよび前記ホルダが、前組立されており、例えば、木材または天然石からなる対象（物体）に前記ホルダが結合されていることが好ましい。
（形態７）
装身エレメントが、前記ホルダまたは該支持装置に可動に支持されていることが好ましい。
（形態８）
該支持装置が、前記ホルダに可動に支持されており、好ましくは、装身対象物品自体であることが好ましい。
（形態９）
装身エレメントおよび／または該支持装置が、装身エレメントの支持部材と、支持装置の支持部材との間で、若しくは、該支持装置の支持部材と、前記ホルダの支持部材との間で、仮想軸線のまわりに少なくとも１回の３６０゜の完全な回転を実施でき、回転対称体の光学（視覚）的に拡大された印象が生ずることが好ましい。
（形態１０）
装身エレメントの移動および停止が、場合によっては、支持装置の移動および停止が、永久磁石によって行われることが好ましい。
（形態１１）ホルダ、装身エレメントおよび支持装置を有し、装身エレメントを展示する装置であって、該支持装置が、組立状態において、ホルダおよび装身エレメントに結合されており、該支持装置および装身エレメントが、装身エレメントを支持するための支持部材を有する形式のものにおいて、前記支持部材が、装身エレメントを可動に支持するため、短軸および切欠きを含み、短軸が、所定の収束角にもとづき、該切欠きの方向へ収束し、該切欠きが、発散角にもとづき、短軸の方向へ発散し、該発散角が、収束角よりも大きく、短軸および切欠きが、点支持の構成のため、発散角および収束角の頂点において互いに当接すること。
（形態１２）
該発散角が、約９０゜であり、該収束角が、約６０゜であることが好ましい。
（形態１３）
前記短軸として存在する支持部材が、前記切欠きとして存在する支持部材よりも硬い材料から作製されていることが好ましい。
（形態１４）
１対の支持部材が、該支持装置の構成部材であることが好ましい。
（形態１５）
該支持装置と前記ホルダとの間に、形状結合および／または力結合および／または物質結合を構成可能であることが好ましい。
（形態１６）
前記ホルダが、該支持装置のための受けを有することが好ましい。
（形態１７）
該受けが、湾曲したミゾの形に存在することが好ましい。
（形態１８）
該支持装置が、２つの自由端を有する湾曲した形状を有し、上記各自由端には、前記支持部材が離隔して且つ相互に向き合うよう配設されていることが好ましい。
（形態１９）
該支持装置が、湾曲部を構成し、この湾曲部の半径が、非組立状態において、同じく湾曲部を構成する前記ホルダの前記ミゾの半径よりも大きいことが好ましい。
（形態２０）
該支持装置の支持部材が、装身エレメントの支持部材に対して規定の初期間隔を有することが好ましい。
（形態２１）
前記ミゾおよび該支持装置の両半径が、組立状態において、ほぼ同一であり、該支持装置の支持部材と装身エレメントの支持部材との間の初期間隔が、該支持装置の変形によって、ゼロに減少されることが好ましい。
（形態２２）
装身エレメントが、約６ｍｍの径を有し、支持部材の間の初期間隔または変形を考慮してホルダのミゾにはめ込み可能である支持装置と共働し、ミゾが、約７．５ｍｍの径を有する工具（特に、フライス）によって作製されていることが好ましい。
（形態２３）
前記ホルダの支持部材および装身エレメントの支持部材が、組立状態において、仮想軸線上に配設されており、該仮想軸線のまわりに装身エレメントを回転できることが好ましい。
（形態２４）装身エレメントを展示するための支持装置であって、支持装置および装身エレメントが、装身エレメントを支持するための支持部材を有し、支持装置の支持部材が、装身エレメントの支持部材の方向へ変形できる形式のものにおいて、該支持装置および装身エレメントが、それぞれ、装身エレメントを支持するための１対の支持部材を有し、該支持装置が、２つの自由端を有する湾曲した形状を有し、該自由端には、支持部材が、離隔して且つ相互に向き合うよう配設されること。
（形態２５）装身エレメントを展示する装置を組立てる方法において、対向する支持部材を介して、先ず、喪失しないよう且つ緩く支持装置を装身エレメントと結合し、ホルダの受けに該支持装置を導入し、前記受けに該支持装置を導入する間に、該支持装置の支持部材が、支持完成まで、装身エレメントの支持部材の方向へ相互に移動されよう、支持装置の変形が起き、装身エレメントが、支持部材のそれぞれの構成に応じて、不動にまたは可動に支持されること。
なお、特許請求の範囲に付記した図面参照符号は、専ら理解を助けるためのものであり、図示の態様に限定することを意図するものではない。
【００２０】
ホルダは、−先行技術から既知の如く−装身対象（装身具）自体であってよく、例えば、リング、ペンダント、ブローチとして存在できる。時計または宝飾対象（装飾品）の形のホルダも考えられる。他の方式としてまたは併せて、ホルダを（他の）対象（物品）に配する（付設する）こともできる。この場合、例えば、リングは、ホルダを組込んだ木材またはセミ宝石から構成できる。材料的観点において、むしろ全く装飾目的を果たし得るガラス製、結晶製、プラスチック製または石材製の物品−例えば、文書の文鎮−も考えられる。対象（物品）との結合の観点の下に、３つのすべてのモジュール構造部材の前組立を行うこともできる。
【００２１】
本発明に係る装置の特に効果的な実施例にもとづき、装身エレメントは、可動に、好ましくは、回転自在に、支持装置に支持されるよう構成でき、および／または、更に、支持装置も、可動に、好ましくは、回転自在に、ホルダに支持されるよう構成できる。支持装置は、それ自体、装身エレメントとしても構成でき、例えば、ブリリアント（切り子）形を取ることができる。支持装置の形状構成は、完全に任意であってよく、即ち、装身エレメントおよびホルダの対向する支持部材を設置できるＵ字形状、リング形状が考えられる。
【００２２】
本発明に係る装置の他の実施例にもとづき、装身エレメントおよび／または支持装置によって、装身エレメントの支持部材とホルダの支持部材またはホルダに固定された支持装置との間でまたは支持装置の支持部材とホルダの支持部材との間で、仮想軸線のまわりに少なくとも１回の３６０゜の完全な回転を実施できるよう、構成する。３６０゜の回転によって、回転対称体の光学（視覚）的に拡大された印象が生ずる。
【００２３】
更に、可動に支持した装身エレメントには、場合によっては、可動に支持した支持装置には、装身エレメントの移動および停止を制御する、場合によっては、支持装置の移動および停止を制御する永久磁石を設けることができる。
【００２４】
点支持の意味における、具体的に云えば、短軸および先細りの切欠きの形の支持部材の発散角および収束角の頂点における装身エレメントの支持に関する装置の第２バリエーションに関して、十分に無摩擦の安定した点支持の達成に鑑みて、発散角が約９０゜であり且つ収束角が６０゜であれば特に好ましい。収束角が、６０゜を大きく越え、発散角が、９０゜を著しく下回った場合、摩擦の危険性が増大する。発散角が、９０゜を越え、収束角が、６０゜を大きく下回った場合、破損の危険性が生ずる。
【００２５】
フレームを含む宝石を装身エレメントに加工する場合、フレーム（Fassung）は、むしろ、軟質材料（例えば、金）から作製すべきである。他方、回転運動を実現するための短軸の形の支持部材は、硬質材料（例えば、鋼）から作製すべきである。従って、切欠きを装身エレメントに関連させ、フレームを宝石に関連させ、短軸をホルダに関連させ、または、−好ましい実施例にもとづき−ホルダに関連させた別個の支持装置に関連させることが考えられる。材料に関して、他の材料が可能であり、貴金属または非貴金属以外に、多様な硬さのプラスチックも考えられる。
【００２６】
上記支持装置とホルダとの間には、形状結合（ありつぎ状の結合）および／または力結合（摩擦力、押圧力による結合）および／または物質結合（融着等、stoffschluess）を構成できる。実証された実施例にもとづき、ホルダは、支持装置の受けを有することができ、特に、ホルダにミゾをフライス加工できる。ミゾおよび支持装置は、付与形状にもとづき、相互に適合させることができる。即ち、受けは、湾曲したミゾの形であってよく、他方、支持装置は、同じく、支持部材を離隔して相互に向き合うよう設けた２つの自由端を含む湾曲形状を有することができる。湾曲は、円形状、多角形状または他の形状の推移（プロフィル）を有することができる。
【００２７】
迅速で、従って、安価な組立の実現のため、支持装置は、非組立状態において同じく湾曲部を構成するミゾの半径よりも僅かに大きい半径を有する湾曲部を構成できる。これは、ミゾに支持装置を挿入する際に、支持装置の変形が起きると云う背景を有し、この場合、自由端の支持部材は、相互に移動され、装身エレメントの支持部材に更に係合し、設置された受けの頂点において点支持を構成する。支持装置の変形の過程において、支持装置は、ミゾの形状に適合される。変形は、塑性的または弾性的であってよい。本発明に係る組立によって装身エレメント支持の作業を著しく容易化する自己調整ないし調べ（アラインメント）が実現されると云うことが、本質的に重要である。
【００２８】
上記の組立によって、点支持の構成の所望の結果が得られるよう、支持装置の支持部材は、装身エレメントの支持部材に対して規定の初期間隔を有することができる。組立の推移時または組立の終了時、ミゾおよび支持装置の半径は、ほぼ同一であってよく、この場合、支持装置の支持部材と装身エレメントの支持部材との間の初期間隔は、支持装置の変形によってゼロに減少される。１つの実施例によれば、装身エレメントは、約６ｍｍの径を有することができ、支持部材の間の初期間隔または変形を考慮してホルダのミゾに嵌合する支持装置と共働する。この場合、ミゾは、約７．５ｍｍの径を有するフライスによって作製されている。即ち、支持装置の半径は、−初期間隔に適合して−３．２５ｍｍよりも幾分大きくてもよい。他の実施例にもとづき、装身エレメントは、約９ｍｍの径を有することができ、この径は、約１１ｍｍの径を有するフライスによって作製されたミゾに嵌合する湾曲した支持装置に必要である。即ち、支持装置の半径は、−初期間隔に適合して−５．５ｍｍよりも幾分大きくなければならない。円形フレームを有する装身エレメントまたは円形のダイアモンドが対象の場合、相互に０．１ｃｔだけ異なる０．１ｃｔ−１．２５ｃｔの範囲のダイアモンドについて、５段階のみのフレーム寸法が必要であるに過ぎない。この場合、支持装置およびホルダの寸法は、対応して段階づけることになる。先行の説明は、この場合、第２バリエーションの実施例に反映される本発明に係る装置の第１バリエーションのモジュール構造方式の考え方を明示するものである。
【００２９】
組立の終了後、ホルダまたは支持装置および装身エレメントの支持部材は、装身エレメントを回転するための仮想軸線上に設置できる。この場合、点支持の点（複数）が、回転軸線を定める。支持部材自体は、回転軸線のまわりに回転対称である必要はなく、上記回転軸線から外れていてよい。これは、組立の容易化に関して重要である。なぜならば、支持部材（Lagerteil）、特に、短軸は、僅かに曲がっている（一直線でない）ことがありうるからである。ホルダの受けへの支持装置の設置以外に、他の工程（例えば、ろう付、リベット止め、レーザ溶接、螺着、接着）を実施できる。この場合、はめ合い正確な形状結合および力結合（例えば、クランプ結合）から物質結合までに及ぶ所望の固定技術が対象となる。ホルダの前部範囲には、材料突出部を設けることができ、この材料突出部は、流動化され、支持装置の埋設に役立ち、そして支持装置を内部に受容するミゾ状受けを閉鎖する。
【００３０】
本発明に係る支持装置および本発明に係る組立法の構成に関して、本発明に係る装置の双方のバリエーションに関する説明を参照する。
【００３１】
例えば、リングとして存在できるホルダの最適な設計に関しても、本発明に係る装置、本発明に係る支持装置および本発明に係る組立法の双方のバリエーションの更なる利点が得られる。ホルダには、先行技術に記載の如きネジ山または他の支持部材を担持しなければならない補強範囲を設けてはならない。装飾（品）は、本発明にもとづき、光学（視覚）的により軽く（leichter）作用する。装身エレメントは、ホルダに最適に組込むことができ、突出部分によってホルダから視覚的に分離されることはない。ホルダ内の支持装置によって、コンパクトな装身具が可能である。ホルダへの支持装置の組込中に点支持を自動的に構成することによって、時間が短縮される。
【実施例】
【００３２】
さて、本発明の教示を各種の態様で構成、改良する各種の可能性が存在する。これに関して、一方では、請求項１に従属させた請求項を参照し、他方では、図面にもとづく本発明の複数の実施例の以降の説明を参照する。本発明の開示の説明と組合せて、教示の概ね好ましい実施例も説明する。
【００３３】
図１−５に、装身エレメント２を支持したホルダ１を有する装身エレメント２を展示する装置を示した。ホルダ１および装身エレメント２は、それぞれ、装身エレメント２を支持するための１対の支持部材３，４，５，６を有する。
【００３４】
本発明の第１バリエーションにもとづき、ホルダ１に配された支持部材３，６は、別個の支持装置７の構成部材である。ホルダ１、装身エレメント２および支持装置７は、モジュール構造部材であり、単一体の支持装置７は、ホルダ１および装身エレメント２に結合できる。ホルダ１、支持装置７および装身エレメント２は、規格化製作（ないし流れ作業、Serienfertigung）で製造され、相互に適合した寸法を有する。
【００３５】
図１に、支持装置７および装身エレメント２が前組立されていることを象徴的に示した。この場合、支持部材３，４，５，６は、前組立状態において、緩く（着脱自在に）且つ喪失しないよう結合されており、実際の結合は、ホルダ１への取付時に始めて構成できる。装身エレメント２は、すべての実施例において、フレーム８および宝石９からなる。フレーム８は、支持部材４，５を含む。
【００３６】
図３および４に、ホルダ１自体がリングの形の装身対象（装身具）であることを示した。
【００３７】
図２において、ホルダ１は、支持装置７および装身エレメント２との統合後、他の装身具に、具体的に云えば、中空リングに組込むよう構成されている。この実施例の場合、支持装置７自体が、装身対象であり、装身エレメント（詳細に示してない）を備えている。
【００３８】
本発明に係る装置のすべての実施例は、装身エレメント２がホルダ１または支持装置７に可動に支持されていると云う共通性を有する。装身エレメント２によって、装身エレメント２の支持部材４，５とホルダ１に固定された支持装置７の支持部材３，６との間で、仮想軸線Ａのまわりに、矢印Ｒに対応して、各種配位に完全に回転でき、この場合、回転対称体の光学（視覚）的に拡大された印象が生ずる。
【００３９】
図２に示した第２実施例の場合、更に、支持装置７も、支持装置７の支持部材１０，１１とホルダ１の支持部材１２，１３との間で、仮想軸線Ａのまわりに回転でき、この場合、回転対称体の光学（視覚）的に拡大された印象が生ずる。この場合、仮想軸線Ａは、すべての支持部材３−６および１０−１３と同列（同心）をなす。
【００４０】
図３に示した第３実施例は、装身エレメント２の移動および停止を実現するため、場合によっては、支持装置７の移動および停止を実現するため、永久磁石１４を使用することを意図する。詳細に示してない矢印で磁界を示した。
【００４１】
本発明に係る装置の第２バリエーションを、図４および図５の第４実施例によって明示する。この場合、他のすべての実施例の場合と同様、支持部材３，４，５，６は、装身エレメント２を可動に支持するため、それぞれ、短軸３，６および切欠き４，５を含む。短軸３，６は、所定の収束角Ｋにもとづき、切欠き４，５の方向へ収斂する。切欠き４，５は、発散角Ｄにもとづき短軸３，６の方向へ発散する。発散角Ｄは、収束角Ａよりも大きく、短軸３，６および切欠き４，５は、ほぼ摩擦のない点支持の構成のため、発散角Ｄおよび収束角Ｋの頂点Ｓにおいて当接する。図５の第４実施例の場合、発散角Ｄは、約９０゜であり、収束角Ｋは、約２０゜である。図１の第１実施例の場合、発散角Ｄは、約９０゜であり、収束角Ｋは、約６０゜である。
【００４２】
すべての実施例に存在する別個の、ホルダ１に配された支持装置７は、図４にもとづき、ホルダ１の湾曲ミゾの形の受け１５に挿入（嵌合）されている。支持装置７は、それ自体、離隔して且つ相互に向き合うよう短軸状支持部材３，６を設けた２つの自由端を有する湾曲形状を有する。
【００４３】
支持装置７は、図１に示した非組立状態において、ホルダ１の同じく湾曲部を構成する受け１５の半径ＲＮよりも僅かに大きい半径ＲＬを有する湾曲部を構成する。支持装置７の支持部材３，６は、装身エレメント２の支持部材４，５に対して所定の初期間隔ＡＡを有する。ホルダ１と支持装置７との間にも、ＡＡ´で示した同様の間隔が存在し、かくして、支持部材、即ち、短軸３，６から支持部材、即ち、切欠き４，５まで所望の経路が残存し、点支持が形成される。半径ＲＬおよびＲＮは、図４に示した組立状態において、ほぼ同一であり、この場合、支持装置７の支持部材３，６と装身エレメント２の支持部材４，５との初期間隔ＡＡは、支持装置７の変形によって、ゼロに減少される。
【００４４】
図示してない他の特徴に関しては、明細書の総括的部分を参照する。
【００４５】
更に、本発明に係る教示は、上述の実施例に限定されないことを指摘する。
【図面の簡単な説明】
【００４６】
【図１】本発明に係る装置の第１実施例の部分切欠略図である。
【図２】本発明に係る装置の第２実施例の略図である。
【図３】本発明に係る装置の第３実施例の略図である。
【図４】本発明に係る装置の第４実施例の部分切欠略図である。
【図５】図２の部分詳細略図である。
【符号の説明】
【００４７】
１            ホルダ（ないし支持体、Traeger）
２            装身エレメント（Schmuckelement）
３,４,５,６   支持部材（ないし支持機構の要素、３，６：短軸；４，５：切欠き）
７            支持装置（ないし軸支部材、Lagerteile）
８            フレーム
１５            ７の受け
Ａ            仮想軸線
ＡＡ            支持部材の初期間隔
ＡＡ´          １および７の初期間隔
ＲＬ            ７の湾曲半径
ＲＮ            １５の湾曲半径
【図１】
0005165589.tif 000002
【図２】
0005165589.tif 000003
【図３】
0005165589.tif 000004
【図４】
0005165589.tif 000005
【図５】
0005165589.tif 000006